(57)【要約】【課題】虹彩の色に応じて表示装置の表示動作を自動的に変化させる。【解決手段】本発明の一態様である表示装置は、所定の表示画像を表示する表示部と、  入力された虹彩画像を分析し、虹彩の色に係る所定の分析結果を出力する分析部と、前記分析結果に基づき前記表示部における前記表示画像の表示動作を変化させる制御部とを備える。【選択図】図８
2019184959.tif 000002
【特許請求の範囲】
【請求項１】
所定の表示画像を表示する表示部と、
入力された虹彩画像を分析し、虹彩の色に係る所定の分析結果を出力する分析部と、
前記分析結果に基づき前記表示部における前記表示画像の表示動作を変化させる制御部と
を備える表示装置。
【請求項２】
前記制御部は、前記表示動作における前記表示画像の色温度または輝度の少なくとも一方を変化させる
請求項１に記載の表示装置。
【請求項３】
前記分析結果は、前記虹彩画像の各画素の各輝度値の度数分布に応じた値である
請求項２に記載の表示装置。
【請求項４】
前記制御部は、前記度数分布に基づき前記虹彩画像の全画素数のうち所定の輝度範囲に属する画素数の割合と所定の閾値を比較し、その比較結果に応じて第１設定値または第１設定値より高い第２設定値のいずれかを選択して前記色温度または前記輝度の設定値とする
請求項３に記載の表示装置。
【請求項５】
前記表示部は、前記表示画像に応じて画素毎に透過率を変化させる透過部と、前記透過部を背面から照らすバックライトを有し、
前記制御部は、前記分析結果に基づき前記表示動作における前記バックライトの制御周波数を変化させる
請求項１から４のいずれか１項に記載の表示装置。
【請求項６】
表示部によって所定の表示画像を表示する際に、
分析部によって入力された虹彩画像を分析し、
前記分析部による虹彩の色に係る所定の分析結果に基づき、制御部によって前記表示部における前記表示画像の表示動作を変化させる
表示方法。
【発明の詳細な説明】
【技術分野】
【０００１】
本発明は、表示装置および表示方法に関する。
【背景技術】
【０００２】
特許文献１および特許文献２には、虹彩に関係した技術の例が示されている。特許文献１は、眼科の屈折手術において、屈折診断器具と屈折レーザーシステムを目に合わせるための虹彩の認識と位置決めのシステムを示す。特許文献１が示すシステムでは、処置の前に記憶されている虹彩の像が、患者の虹彩と比較される。また、特許文献２は、虹彩サイズを用いた人体顔面の画像からの対象物測定方法を示す。特許文献２が示す対象物測定方法では、人間の虹彩を含む画像を解析し、対象物の寸法と目で見ることができる虹彩の直径のサイズ比に基づいて対象物の寸法が近似計算される。
【先行技術文献】
【特許文献】
【０００３】
【特許文献１】特表２００３−５１１２０６号公報
【特許文献２】特表２００４−５０１４６３号公報
【発明の概要】
【発明が解決しようとする課題】
【０００４】
ところで、虹彩の色は人種によって異なる傾向がある。また、モニター（表示装置）の色温度への好みは目の虹彩の色よって異なることがある。ここで、色温度とは、光源が発した光の色を数値で表した指標の一つであり、単位がケルビン（Ｋ）である。色温度が低いほど「白」が赤みを帯び、高いほど「白」が青みを帯びる。色温度への好みの違いが顕著にわかるのは、白色人種と黄色人種の比較の場合である。白色人種は虹彩の色が薄いので光を感知しやすい。例えば、街中で白色人種の人がサングラスをかけているのを比較的多く見かけるのは、黄色人種の人に比べて光をまぶしく感じるからである。また、白色人種の人の屋内の照明も暗い傾向にある。白色人種の人が多く利用するホテルでは間接照明しか付いておらず、黄色人種の人が利用すると暗く感じることがあるともよく聞かれる。一般的に、モニター色温度において、虹彩の色が淡い（例：青色）人はウォームな色温度（低い色温度、例えば６５００Ｋ）設定が好みであり、虹彩の色が濃い（例：濃褐色、黒に近い、下記黒色で表現する。）人ではクールな色温度（高い色温度、例えば９３００Ｋ）設定が好みである。このように、虹彩の色と光の見え方や嗜好には一定の関係があると考えられる。
【０００５】
特許文献１および特許文献２を例示して説明したように、虹彩に関係した技術については種々の提案がなされている。しかしながら、虹彩の色に応じて色温度の設定値を変更する等、虹彩の色に応じて表示装置の表示動作を自動的に変化させる技術は提案されていなかった。
【０００６】
本発明は、上記事情を考慮してなされたものであり、虹彩の色に応じて表示装置の表示動作を自動的に変化させることができる表示装置および表示方法を提供することを目的とする。
【課題を解決するための手段】
【０００７】
上記課題を解決するため、本発明の一態様は、所定の表示画像を表示する表示部と、入力された虹彩画像を分析し、虹彩の色に係る所定の分析結果を出力する分析部と、前記分析結果に基づき前記表示部における前記表示画像の表示動作を変化させる制御部とを備える表示装置である。
【０００８】
また、本発明の一態様は、表示部によって所定の表示画像を表示する際に、分析部によって入力された虹彩画像を分析し、前記分析部による虹彩の色に係る所定の分析結果に基づき、制御部によって前記表示部における前記表示画像の表示動作を変化させる表示方法である。
【発明の効果】
【０００９】
本発明の各態様によれば、虹彩の色に応じて表示装置の表示動作を自動的に変化させることができる。
【図面の簡単な説明】
【００１０】
【図１】本発明の一実施形態に係る表示装置の構成例を示すブロック図である。
【図２】図１に示す映像表示装置１の動作例を説明するための模式図である。
【図３】図１に示す映像表示装置１の動作例を説明するためのフローチャートである。
【図４】図１に示す映像表示装置１の動作例を説明するための虹彩画像の一例を示す図である。
【図５】図４に虹彩画像５１の分析結果の一例を示す図である。
【図６】図１に示す映像表示装置１の動作例を説明するための虹彩画像の他の例を示す図である。
【図７】図６に虹彩画像５２の分析結果の一例を示す図である。
【図８】本発明の実施形態に係る表示装置の基本的構成例を示すブロック図である。
【発明を実施するための形態】
【００１１】
以下、図面を参照して本発明の実施形態について説明する。図１は、本発明の一実施形態に係る映像表示装置１の構成例を示すブロック図である。図２は、図１に示す映像表示装置１の動作例を説明するための模式図である。図１に示す映像表示装置１は、虹彩画像階調処理部１０１と、ヒストグラム計算部１０２と、閾値入力設定部１０３と、比較部１０４と、映像信号入力コネクタ１０５と、メモリ１０６と、映像信号処理部１０７と、スイッチング電源部１０８と、バックライト輝度制御部１０９と、表示パネル１１０を備える。また、表示パネル１１０は、画像表示部１１１と、ＬＥＤ（発光ダイオード）バックライトシステム１１２を備える。
【００１２】
図１に示す映像表示装置１は、ＡＣ（交流）電源供給部４から供給された商用交流電源等を電源として動作し、映像信号ソース機器３から入力した映像信号に基づいて表示パネル１１０で画像を表示する。また、映像表示装置１は、表示パネル１１０で画像を表示する際に、虹彩画像撮像装置２が撮像した虹彩画像を分析し、虹彩の色に係る所定の分析結果に基づき、表示パネル１１０における画像の表示動作を変化させる。ここで、表示動作の変化とは、例えば、表示パネル１１０が表示する画像（表示画像）の色温度の設定の変化や輝度の変化である。また、虹彩画像に基づく虹彩の色に係る所定の分析とは、例えば、虹彩画像の各画素の各輝度レベル（輝度値）の度数分布に応じた値を算出し、虹彩画像の全画素数のうち所定の輝度範囲に属する画素数の割合と所定の閾値を比較する処理である。
【００１３】
虹彩画像撮像装置２は、例えば、図２に示すように、デジタルカメラ等の撮像部２ａが、映像表示装置１の前面、例えば、表示画面１ａの上部ベゼル部１ｂに配置され、表示画面１ａの前にいる人（ユーザー）の目３０を含む画像を撮影する。虹彩画像撮像装置２は、撮影した画像そのものを、あるいは、撮影した画像から抽出した目３０もしく虹彩３１の領域の画像を、虹彩画像として映像表示装置１へ出力する。なお、虹彩３１は、目３０において角膜と水晶体の間にある薄膜であり、中央部の穴（瞳孔３２）の大きさを変化させることで網膜に入る光の量を調節する。虹彩画像撮像装置２は、例えば、映像表示装置１と一体的に構成されていてもよいし、映像表示装置１に対して着脱可能に構成されていてもよい。虹彩画像撮像装置２は、映像表示装置１から指示されたタイミングで、あるいは一定の周期もしくは連続的に、映像表示装置１のユーザーの虹彩３１外周までを含む画像を撮影する。
【００１４】
映像信号ソース機器３は、例えば、所定の映像媒体の再生装置、パーソナルコンピュータ等のコンピュータ、通信回線を介して配信された映像信号の受信装置等であり、カラー映像を示す映像信号を映像表示装置１へ出力する。また、ＡＣ電源供給部４は、例えば、商用電源用の屋内配線設備、屋内配線設備に接続された無停電電源装置等であり、所定の電圧で所定の周波数の交流電源を映像表示装置１へ供給する。
【００１５】
映像表示装置１において、虹彩画像階調処理部１０１は、虹彩画像撮像装置２が出力した虹彩画像（を表すデータ）を入力し、例えば、虹彩画像の輝度を８ビットで階調処理し、２５６レベルにする。８ビットで表現されるディジタル画像の場合、輝度レベルは２５６階調である。すなわち、虹彩画像階調処理部１０１は、虹彩画像が含む各画素の画素値に基づいて、各画素に対応する輝度レベルを画素毎に算出する。各輝度レベルは、「０」から「２５５」までのいずれかの値となる。そして、虹彩画像階調処理部１０１は、階調処理した結果（各画素の各輝度レベル）をヒストグラム計算部１０２へ出力する。なお、輝度レベル「０」が真黒色（輝度が最低）であり、輝度レベル「２５５」が真白色（輝度が最高）である。
【００１６】
なお、虹彩画像階調処理部１０１は、虹彩画像撮像装置２から入力した虹彩画像に基づき、例えば、虹彩領域に含まれる複数の画素を抽出したり、瞳孔領域に含まれる複数の画素を抽出したりする機能を有していてもよい。また、虹彩画像階調処理部１０１は、例えば、抽出した虹彩領域に含まれる各画素の各輝度レベルのみを階調処理の結果としてヒストグラム計算部１０２へ出力してもよいし、さらに、瞳孔領域に含まれる各画素に対応する各輝度レベルを除外してヒストグラム計算部１０２へ出力してもよい。また、虹彩画像階調処理部１０１は、各輝度レベルを線形または非線形に調整する機能を備えていてもよい。
【００１７】
ヒストグラム計算部１０２は、閾値入力設定部１０３で設定された輝度レベルの閾値（閾値ｔとする）に基づき、虹彩画像階調処理部１０１から入力した虹彩画像の各画素のうち、その閾値ｔで決定された範囲内の輝度レベルを有する各画素の割合を算出する。本実施形態では、ヒストグラム計算部１０２が、その割合を画素出現頻度Ｈ（ｔ）として算出する。画素出現頻度Ｈ（ｔ）は、虹彩画像の全画素数に対する、輝度レベルが「閾値ｔ」以下の１または複数の画素の個数の割合を示す関数である。ヒストグラム計算部１０２は、虹彩画像に含まれる各画素のうち、「０」から「閾値ｔ」までの輝度レベルを有する１または複数の画素の個数を、虹彩画像の全画素の個数で除すことで、画素出現頻度Ｈ（ｔ）を算出する。なお、閾値入力設定部１０３は、所定の操作子、リモコン、映像表示装置１が有するＯＳＤ（Ｏｎ  Ｓｃｒｅｅｎ  Ｄｉｓｐｌａｙ）機能等を用いて、ユーザーによる入力操作に応じて、閾値ｔの値を設定し、設定された値をヒストグラム計算部１０２へ出力するとともに、メモリ１０６に記憶する。ヒストグラム計算部１０２は、算出した画素出現頻度Ｈ（ｔ）を比較部１０４へ出力する。
【００１８】
なお、閾値入力設定部１０３では複数の輝度レベルの閾値（例えば閾値ｔ１およびｔ２とする。）を設定してもよい。この場合、ヒストグラム計算部１０２は、画素出現頻度Ｈ（ｔ１）と画素出現頻度Ｈ（ｔ２）を算出して出力したり、画素出現頻度Ｈ（ｔ１、ｔ２）を算出して出力したりすることができる。画素出現頻度Ｈ（ｔ１、ｔ２）は、輝度レベルが「閾値ｔ１」以上、「閾値ｔ２」以下の１または複数の画素の個数の割合を示す関数である。
【００１９】
比較部１０４は、ヒストグラム計算部１０２が算出した画素出現頻度Ｈ（ｔ）を入力し、所定の比較用閾値ｔｃと比較する。比較用閾値ｔｃは、例えば５０％というような定数である。比較部１０４は、ヒストグラム計算部１０２が算出した画素出現頻度Ｈ（ｔ）と比較用閾値ｔｃを比較し、比較結果を示す情報を映像信号処理部１０７に対して出力する。例えば、比較部１０４が画素出現頻度Ｈ（ｔ）が比較用閾値ｔｃより大きいと判断した場合、輝度レベルが「閾値ｔ」以下の（比較的輝度レベルが低い）画素の割合が高いことを意味し、虹彩３１の色が比較的濃いことを示す。他方、比較部１０４が画素出現頻度Ｈ（ｔ）が比較用閾値ｔｃより大きくないと判断した場合、輝度レベルが「閾値ｔ」以下の画素の割合が低いことを意味し、虹彩３１の色が比較的淡いことを示す。
【００２０】
ここで、図４〜図７を参照して、虹彩画像における輝度レベルの度数分布の例について説明する。図４および図６は、虹彩画像の例を示す図である。図４に示す虹彩画像５１は、黒色（濃色）虹彩の画像である。図６に示す虹彩画像５２は、青色（淡色）虹彩の画像である。図５は、図４に示す虹彩画像５１の輝度レベルのヒストグラム（度数分布図）である。図７は、図６に示す虹彩画像５２の輝度レベルのヒストグラムである。図５および図７は、縦軸に画素数の全画素数に対する割合（％）を「画素出現頻度」として取り、横軸に輝度レベルの範囲（階級）を「虹彩画像輝度階調レベル」として取る。図５に示すヒストグラムでは、例えば、輝度レベルが「０」〜「３１」の各画素の全画素に対する割合が６０％であり、輝度レベルが「３２」〜「６３」の各画素の全画素に対する割合が１０％である。また、図７に示すヒストグラムでは、例えば、輝度レベルが「０」〜「３１」の各画素の全画素に対する割合が８％であり、輝度レベルが「３２」〜「６３」の各画素の全画素に対する割合が１２％である。図４に示す黒色（濃色）虹彩の虹彩画像５１の場合、図５に示すようにヒストグラムのデータ数は左側に多く分布する。また、図６に示す青色（淡色）虹彩の虹彩画像５２の場合、図７に示すようにヒストグラムのデータ数は右側に多く分布する。図５に示すヒストグラムでは７５％以上の画素が輝度レベル「０」から「９５」までに分布し、図７に示すヒストグラムでは約３１％の画素が輝度レベル「０」から「９５」までに分布している。
【００２１】
例えば、閾値入力設定部１０３で輝度レベルの閾値ｔを「９５」に設定して、ヒストグラム計算部１０２が画素出現頻度Ｈ（９５）を算出し、比較部１０４において比較用閾値ｔｃを「５０％」に設定した場合、比較部１０４は、次のように判断する。すなわち、比較部１０４は、図４に示す虹彩画像５１に対して、画素出現頻度Ｈ（９５）が比較用閾値ｔｃ「５０％」より大きいと判断する。この場合の比較部１０４の判断結果は、虹彩画像５１が含む虹彩３１の色が比較的濃い色であることを示す。一方、比較部１０４は、図６に示す虹彩画像５２に対して、画素出現頻度Ｈ（９５）が比較用閾値ｔｃ「５０％」より大きくないと判断する。この場合の比較部１０４の判断結果は、虹彩画像５２が含む虹彩３１の色が比較的淡い色であるということを示す。
【００２２】
一方、図１に示す映像信号入力コネクタ１０５は、映像信号ソース機器３に接続されている所定の映像信号ケーブルを着脱自在に接続する。映像信号入力コネクタ１０５は、映像信号ソース機器３が出力した映像信号を入力し、映像信号処理部１０７へ出力する。
【００２３】
映像信号処理部１０７は、比較部１０４での比較結果に基づき、映像信号入力コネクタ１０５から入力した映像信号に対して、色温度の設定を変更する処理、輝度の設定を変更する処理等を行った後、表示パネル１１０の画像表示部１１１へ出力する。例えば、比較部１０４が比較用閾値ｔｃより画素出現頻度Ｈ（ｔ）が大きいと判断した場合、映像信号処理部１０７は、画像表示部１１１の色温度をクール色（高い色温度）に設定する。逆に、比較部１０４が比較用閾値ｔｃより画素出現頻度Ｈ（ｔ）が大きくないと判断した場合、映像信号処理部１０７は、画像表示部１１１の色温度をウォーム色（低い色温度）に設定する。また、例えば、比較部１０４が比較用閾値ｔｃより画素出現頻度Ｈ（ｔ）が大きいと判断した場合、映像信号処理部１０７は、画像表示部１１１の表示画像の輝度を高く設定する。逆に、比較部１０４が比較用閾値ｔｃより画素出現頻度Ｈ（ｔ）が大きくないと判断した場合、映像信号処理部１０７は、画像表示部１１１の表示画像の輝度を低く設定する。あるいは、映像信号処理部１０７は、比較部１０４での比較結果に基づき、色温度の設定と輝度の設定の両方を変化させてもよい。また、比較部１０４での比較結果に基づく輝度の設定の変更については、映像信号処理部１０７による映像信号に対する輝度の設定の変更とともに、バックライト輝度制御部１０９によってＬＥＤバックライトシステム１１２の輝度の設定を変更してもよい。また、映像信号に対する輝度の設定の変更をせずに、バックライト輝度制御部１０９によってＬＥＤバックライトシステム１１２の輝度の設定のみを変更してもよい。
【００２４】
なお、映像信号処理部１０７は、例えば、入力した映像信号を一旦メモリ１０６へ記憶し、メモリ１０６に記憶した映像信号を読み出して処理を行って再びメモリ１０６へ書き込み、所定のタイミングで処理後の映像信号をメモリ１０６から読み出して画像表示部１１１へ出力する。
【００２５】
また、スイッチング電源部１０８は、ＡＣ電源供給部４から供給された交流電圧を所定の直流電圧に変換し、バックライト輝度制御部１０９ほか、映像表示装置１内の各部に直流電源を供給する。
【００２６】
バックライト輝度制御部１０９は、映像信号処理部１０７からＬＥＤバックライトシステム１１２の輝度の設定値または映像信号処理部１０７を介して比較部１０４での比較結果を入力し、ＬＥＤバックライトシステム１１２の輝度を制御する。バックライト輝度制御部１０９は、所定の制御周波数でスイッチング素子をスイッチング制御することで、電圧や電流を制御して、ＬＥＤバックライトシステム１１２の輝度を制御する。バックライト輝度制御部１０９は、比較部１０４での比較結果または映像信号処理部１０７から指示に応じて、ＬＥＤバックライトシステム１１２の輝度を変化させたり、制御周波数を変化させたりする。例えば、比較部１０４が比較用閾値ｔｃより画素出現頻度Ｈ（ｔ）が大きいと判断した場合、バックライト輝度制御部１０９は、ＬＥＤバックライトシステム１１２の輝度を高く設定する。逆に、比較部１０４が比較用閾値ｔｃより画素出現頻度Ｈ（ｔ）が大きくないと判断した場合、バックライト輝度制御部１０９は、ＬＥＤバックライトシステム１１２の輝度を低く設定する。また、例えば、比較部１０４が比較用閾値ｔｃより画素出現頻度Ｈ（ｔ）が大きいと判断した場合、バックライト輝度制御部１０９は、ＬＥＤバックライトシステム１１２の制御周波数を低く設定する。逆に、比較部１０４が比較用閾値ｔｃより画素出現頻度Ｈ（ｔ）が大きくないと判断した場合、バックライト輝度制御部１０９は、ＬＥＤバックライトシステム１１２の制御周波数を高く設定する。
【００２７】
表示パネル１１０において、画像表示部１１１は、液晶を利用して透過率を変化させる複数の画素を備え、映像信号処理部１０７から入力した映像信号に基づき画素毎に透過率を変化させて、ＬＥＤバックライトシステム１１２が照射した光を透過させる。画像表示部１１１は、例えば、表示面側から順に、偏光板、カラーフィルタ基板、液晶層、アレイ基板、偏光板等を積層することで構成されている。ここで、アレイ基板は、アレイ状に配列されたＲＧＢ（赤緑青）の各色に対応する複数の副画素電極、各副画素電極に表示電圧を印加する複数のトランジスタ、各トランジスタや各副画素電極等に接続された複数の配線、配向膜等を備える。また、カラーフィルタ基板は、アレイ基板上の各副画素に対応するＲＧＢのカラーフィルタ、共通電極、配向膜等を備える。
【００２８】
ＬＥＤバックライトシステム１１２は、例えば、１または複数のＬＥＤからなる光源、導光板、拡散板、プリズムシート等を備え、画像表示部１１１と一体的に構成され、画像表示部１１１の表示面の反対側の背面から光源が発した光を画像表示部１１１に対して照射する。ＬＥＤバックライトシステム１１２の光源が照射する光の強度は、バックライト輝度制御部１０９によって制御される。
【００２９】
次に、図３を参照して、図１に示す映像表示装置１の動作例について説明する。図３は、図１に示す映像表示装置１の動作例を説明するためのフローチャートである。図３に示す処理は、映像表示装置１が色温度の設定を自動的に決定する処理であり、例えば、ユーザーの映像表示装置１に対する所定の操作に応じて開始される。なお、この例では、閾値入力設定部１０３で輝度レベルの閾値ｔが「９５」に設定されていてヒストグラム計算部１０２は画素出現頻度Ｈ（９５）を算出し、比較部１０４では比較用閾値ｔｃが「５０％」に設定されていることとする。映像表示装置１は、図３に示す処理を開始すると、まず、虹彩画像撮像装置２が撮像した虹彩画像を取り込む（ステップＳ１１）。次に、虹彩画像階調処理部１０１が、取り込んだ虹彩画像に対する８ビット階調処理を行い、虹彩画像の各画素の各輝度レベルを示す情報をヒストグラム計算部１０２へ出力する（ステップＳ１２）。次に、ヒストグラム計算部１０２が画素出現頻度Ｈ（９５）を算出する（ステップＳ１２）。次に、比較部１０４は、画素出現頻度Ｈ（９５）が比較用閾値ｔｃ「５０％」より大きいか否かを判断する（ステップＳ１４）。画素出現頻度Ｈ（９５）が比較用閾値ｔｃ「５０％」より大きい場合（ステップＳ１４で「Ｙｅｓ」の場合）、映像信号処理部１０７は、表示パネル１１０が表示する表示画像の色温度の設定を所定の低い値（例えば６５００Ｋ）に設定する（ステップＳ１６）。一方、画素出現頻度Ｈ（９５）が比較用閾値ｔｃ「５０％」より大きくない場合（ステップＳ１４で「Ｎｏ」の場合）、映像信号処理部１０７は、表示パネル１１０が表示する表示画像の色温度の設定を所定の高い値（例えば９３００Ｋ）に設定する（ステップＳ１５）。ステップＳ１５またはステップＳ１６の後、映像表示装置１は、図３に示す処理を終了する。
【００３０】
以上のような処理によって、映像表示装置１は、ユーザーの虹彩画像を分析し、虹彩の色の濃さや淡さに応じて、表示画像の色温度の設定、輝度の設定、バックライトの制御周波数の少なくとも１つを変更することができる。したがって、映像表示装置１によれば、虹彩の色に応じて表示動作を自動的に変化させることができる。
【００３１】
なお、本発明の実施形態は上記形態に限定されず、例えば次のように変形したり、変更したりすることができる。例えば、色温度の設定は、２つの設定値に限らず、虹彩画像に基づいて３以上の複数の値のいずれかに変化させてもよい。また、輝度の設定も虹彩画像に基づいて３以上の設定値のいずれかに変化させてもよい。また、各設定値は、ユーザーがカスタマイズできるようにしてもよい。また、輝度レベルの分析に代えて、ＲＧＢの各色信号の画素値を分析してもよい。この場合、映像表示装置１は、例えば、各色信号の画素値の度数分布を算出し、色毎に画素値の閾値（あるいは範囲）を設定して、閾値内の画素値の度数の割合を求め、所定の比較用閾値と比較することができる。また、映像表示装置１と映像信号ソース機器３が一体的に構成されていてもよい。また、輝度レベルの階調は８ビットに限定されず、８ビットより小さくても大きくてもよい。
【００３２】
また、表示パネル１１０は、液晶を利用する画像表示部１１１と、ＬＥＤバックライトシステム１１２に代えて、自発光素子を用いて各画素を構成する表示パネルを備えていてもよい。また、表示パネル１１０は、プロジェクタ等の投写型の表示パネルであってもよい。また、虹彩画像撮像装置２は、例えばスマートフォン等の端末に代えてもよい。その場合、例えば、その端末で虹彩画像を撮像し、その端末と映像表示装置１を有線または無線で接続し、撮像データあるいは虹彩画像の分析結果（度数分布等）を、その端末から映像表示装置１へ転送するようにしてもよい。
【００３３】
次に、図８を参照して、本発明の実施形態に係る基本的構成例について説明する。図８は、本発明の実施形態に係る表示装置の基本的構成例を示すブロック図である。図８に示す表示装置１０は、表示部１１と、制御部１２と、分析部１３を備える。表示部１１は、所定の表示画像を表示する。分析部１３は、入力された虹彩画像１４を分析し、虹彩の色に係る所定の分析結果を出力する。制御部１２は、分析部１３の分析結果に基づき表示部１１における表示画像の表示動作を変化させる。制御部１２は、例えば、表示動作における表示画像の色温度または輝度の少なくとも一方を変化させることができる。また、分析結果は、例えば、虹彩画像１４の各画素の各輝度値の度数分布に応じた値とすることができる。また、制御部１２は、例えば、度数分布に基づき虹彩画像１４の全画素数のうち所定の輝度範囲に属する画素数の割合と所定の閾値を比較し、その比較結果に応じて第１設定値または第１設定値より高い第２設定値のいずれかを選択して色温度または輝度の設定値とすることができる。また、表示部１１は、例えば、表示画像に応じて画素毎に透過率を変化させる透過部と、透過部を背面から照らすバックライトを有し、制御部１２は、分析結果に基づき表示動作におけるバックライトの制御周波数を変化させることができる。図８に示す構成によれば、虹彩の色に応じて表示装置１０の表示動作を自動的に変化させることができる。
【００３４】
なお、図８に示す構成と図１に示す構成の対応関係は次の通りである。図８に示す表示装置１０は、図１に示す映像表示装置１、または、映像表示装置１と虹彩画像撮像装置２もしくは映像信号ソース機器３の少なくとも一方を組み合わせた構成に対応する。図８に示す表示部１１は、図１に示す表示パネル１１０に対応する。図８に示す分析部１３は、図１に示す虹彩画像階調処理部１０１、ヒストグラム計算部１０２、閾値入力設定部１０３および比較部１０４を組み合わせた構成に対応する。図８に示す制御部１２は、映像信号処理部１０７、バックライト輝度制御部１０９、または、映像信号処理部１０７とバックライト輝度制御部１０９を組み合わせた構成に対応する。また、第１設定値は例えば６５００Ｋであり、第１設定値より高い第２設定値は例えば９３００Ｋである。
【００３５】
また、表示部１１を、表示画像に応じて画素毎に透過率を変化させる透過部と、透過部を背面から照らすバックライトとから構成する場合、その透過部が図１に示す画像表示部１１１に対応し、そのバックライトが図１に示すＬＥＤバックライトシステム１１２に対応する。
【００３６】
以上、この発明の実施形態について図面を参照して説明してきたが、具体的な構成は上記実施形態に限られるものではなく、この発明の要旨を逸脱しない範囲の設計等も含まれる。また、図１に示す映像表示装置１において、虹彩画像階調処理部１０１、ヒストグラム計算部１０２、閾値入力設定部１０３、比較部１０４、映像信号処理部１０７、バックライト輝度制御部１０９等の構成の一部または全部は、１または複数のコンピュータと各コンピュータが実行するプログラムを組み合わせた構成を含むものとすることができる。この場合に、各コンピュータが実行するプログラムの一部または全部は、コンピュータ読取可能な記録媒体、通信回線等を介して頒布することができる。
【符号の説明】
【００３７】
１…映像表示装置、２…虹彩画像撮像装置、３…映像信号ソース機器、１０…表示装置、１１…表示部、１２…制御部、１３…分析部、１０１…虹彩画像階調処理部、１０２…ヒストグラム計算部、１０３…閾値入力設定部、１０４…比較部、１０５…映像信号入力コネクタ、１０６…メモリ、１０７…映像信号処理部、１０８…スイッチング電源部、１０９…バックライト輝度制御部、１１０…表示パネル、１１１…画像表示部、１１２…ＬＥＤバックライトシステム
【図１】
2019184959.tif 000003
【図２】
2019184959.tif 000004
【図３】
2019184959.tif 000005
【図４】
2019184959.tif 000006
【図５】
2019184959.tif 000007
【図６】
2019184959.tif 000008
【図７】
2019184959.tif 000009
【図８】
2019184959.tif 000010